(57)【要約】      （修正有）【課題】１種類のアルバムで縦長の写真および横長の写真の両方を収納できる、あるいは、写真集や縦横図柄の混在する書籍において１種類の冊子で縦長の写真や絵柄および横長の写真や絵柄の両方を表示できる、アルバム又は書籍の構造を提供する。【解決手段】縦型・横型兼用のアルバム１０又は書籍の構造は、左右に開く縦型のアルバム台紙１２〜１４や書籍の頁を用いたアルバム１０又は書籍の一方の端面の縦長型アルバム台紙１２または頁の裏側を横長型のアルバム台紙面１３または頁面とし、横長型のアルバム台紙１３又は頁の上下方向に他の横長型のアルバム台紙１４又は頁を取付けて上下方向に開く横型のアルバム又は書籍とした。【選択図】図２
0003199362.tif 000002
【実用新案登録請求の範囲】
【請求項１】
左右に開く縦型のアルバム台紙や書籍の頁を用いたアルバム又は書籍の一方の端面の縦長型アルバム台紙または頁の裏側を横長型のアルバム台紙面または頁面とし、該横長型のアルバム台紙又は頁の上下方向に他の横長型のアルバム台紙又は頁を取付けて上下方向に開く横型のアルバム又は書籍としたことを特徴とする縦型・横型兼用のアルバム又は書籍の構造。
【請求項２】
前記縦長型アルバム台紙又は頁、あるいは、横長型アルバム台紙又は頁が複数枚あることを特徴とする前記請求項１記載の縦型・横型兼用のアルバム又は書籍の構造。
【請求項３】
前記縦長型アルバム台紙又は頁、あるいは、横長型アルバム台紙又は頁が蛇腹構造であることを特徴とする前記請求項２記載の縦型・横型兼用のアルバム又は書籍の構造。 
【考案の詳細な説明】
【技術分野】
【０００１】
この考案は、写真等を収納するアルバム台紙を用いたアルバムや写真集、図柄の入った書籍の改良に関し、特に縦型・横型を兼用するアルバム台紙を用いたアルバムの構造、写真集、あるいは縦横図柄の混在する書籍に関するものである。
【背景技術】
【０００２】
従来、写真等の保存用に各種アルバムが存在する。
例えば、図6、図7に示される従来のアルバム台紙を用いたアルバムは、台紙に斜めに筋上にのりを着けておき、写真を貼り付けてその上から透明なフィルムを貼って写真を固定するものである。
【０００３】
しかし、アルバム台紙を用いたアルバムは、図6に示される横長の写真を収納する横型のアルバム６０と図７に示される縦長の写真を収納する縦型のアルバム７０の２種類が存在し、写真を収納するアルバムを２種類用意しなければならない不便があった。図６，図７において、６２，７２は台紙に斜めに筋上にのりを着けておき、写真を貼り付けてその上から透明なフィルムを貼って写真を固定するアルバム台紙であり、６１，７１は表紙である。なお、糊付けは、斜線の他、横線や面塗布のものもある。
【０００４】
図６，図７のものは、上記アルバム台紙を１方向に複数枚重ねて根元をのり付けして、アルバム台紙が開閉自在としたものであるが、図５に示す如く、アルバム台紙５１，５２の端面同士を貼り付けた蛇腹構造のものも知られている。
【０００５】
また、写真集や縦横図柄の混在する書籍（例えば、絵本）においても同様に縦長と横長で別の冊子を準備する必要があった。
【考案の開示】
【考案が解決しようとする課題】
【０００６】
この考案は、上記従来のアルバムや写真集、書籍の欠点を無くし、１種類のアルバム台紙を用いたアルバムで縦長の写真および横長の写真の両方を収納できるアルバム台紙を用いたアルバムの構造を提供すること、あるいは、写真集や縦横図柄の混在する書籍においても１種類の冊子で縦長の写真や絵柄および横長の写真や絵柄の両方を表示できる冊子の構造を提供することを目的とする。
【課題を解決するための手段】
【０００７】
これを解決するため、本考案の縦型・横型兼用のアルバム又は書籍の構造は、左右に開く縦型のアルバム台紙や書籍の頁を用いたアルバム又は書籍の一方の端面の縦長型アルバム台紙または頁の裏側を横長型のアルバム台紙面または頁面とし、該横長型のアルバム台紙又は頁の上下方向に他の横長型のアルバム台紙又は頁を取付けて上下方向に開く横型のアルバム又は書籍としたことを特徴とする。
【０００８】
さらに、前記縦長型アルバム台紙又は頁、あるいは、横長型アルバム台紙又は頁が複数枚あることを特徴とする。またさらに、前記縦長型アルバム台紙又は頁、あるいは、横長型アルバム台紙又は頁が蛇腹構造であることを特徴とする。
【考案の効果】
【０００９】
このようにして、この考案の縦・横兼用のアルバム台紙を用いたアルバムを用いれば、縦長の写真と横長の写真を１冊のアルバムに収納できるので、便利である。また、この考
案の縦・横兼用の写真集や書籍を用いれば、縦長の写真や図柄と横長の写真や図柄を１冊の冊子で表示できるので、便利である。
【図面の簡単な説明】
【００１０】
【図１】この考案のアルバム台紙を用いたアルバムの横型面から見た斜視図を示す。
【図２】この考案のアルバム台紙を用いたアルバムの縦型面から見た斜視図を示す。
【図３】図１の展開平面図を示す。
【図４】この考案の蛇腹構造のアルバム台紙を用いたアルバムの展開平面図を示す。
【図５】蛇腹構造のアルバム台紙を用いたアルバムの斜視図を示す。
【図６】従来の横型のアルバム台紙を用いたアルバムの斜視図を示す。
【図７】従来の縦型のアルバム台紙を用いたアルバムの斜視図を示す。
【図８】縦・横兼用の従来のフレーム台紙の構造を示す。
【考案を実施するための最良の形態】
【００１１】
以下、この考案の実施例として縦型・横型兼用のアルバムについて図を用いて説明する。
図１は、この考案のアルバムのアルバム台紙の結合関係の基本構造を示す外観図である。図１において、２，３は横長の写真を収納するアルバム台紙であり、アルバム台紙２，３は、無線綴じ６で左右のアルバム台紙２．３が取り付けられ、左右に開く構造になっている。４はアルバム台紙３の上端面５において無線綴じでアルバム台紙３に取り付けられた縦長写真を収納するアルバム台紙である。
【００１２】
図１において、アルバム台紙４を矢印Ａに示す如く上方に開いたときの平面図が図３に示される。図３の３１，３２が横長型のアルバム台紙面であり、３２，３３の裏側が縦長型のアルバム台紙面となっている。すなわち、図１のアルバム台紙３の表側は横長型アルバム台紙面であり、そのアルバム台紙３の裏面は縦長型アルバム台紙面となっている。なお、図３の３３はアルバム台紙を用いたアルバムの縦表紙（裏表紙）を示す。図３の３１の裏側が横表紙（表表紙）となる。
【００１３】
図１を縦長型アルバム台紙から見た斜視図が図２に示される。図２において、１２，１３は縦長の写真を収納するアルバム台紙面であり、アルバム台紙１２，１３は、無線綴じ１６で左右のアルバム台紙が取り付けられ、左右に開く構造になっている。１４は、アルバム台紙１３の上端１５において無線綴じで取り付けられた横長型のアルバム台紙である。
【００１４】
図２のアルバム台紙１４を矢印Ｂの如く上方に開き、右に９０度回転して裏側から見ると、図３になる。すなわち、図１と図２は視点が異なるだけで同じ構造のものである。
【００１５】
図１において、２，３のアルバム台紙の間、あるいは、図２において、１２，１３のアルバム台紙の間には、図６，図７に示されるように複数枚のアルバム台紙が収納されていてもよい。中間に収納されるアルバム台紙は裏表の両面が写真収納可能な台紙面になっている。また、該アルバム台紙からなるアルバムは、図５に示されるような蛇腹構造のものであってもよい。
【００１６】
図４に、このような蛇腹構造の本考案のアルバム台紙を用いたアルバムの展開平面図を示す。図４において、４１，４４，４５，４２がそれぞれ横長アルバム台紙面であって、４２の裏側、４３の裏側、４６，４７がそれぞれ縦長のアルバム台紙面である。なお、４１の裏側は横表紙（表表紙）に、４３の表側は縦表紙（裏表紙）になる、図４の各シートが織り込まれると、図５の蛇腹構造となる。アルバム台紙４４，４５，４２，４７，４６は裏表両面が写真貼り付け面となっている。
【００１７】
このように構成された本考案のアルバム台紙を用いたアルバムは、例えば、図１に示す形態で用いると、横長写真の写真スタンドとして用いることができる。図２であれば、縦長写真の写真スタンドとなる。
【００１８】
このように、本考案のアルバム台紙を用いたアルバムの構造は、縦長写真と横長写真の両方が１冊のアルバムに収納できるので、便利である。
また、縦長写真スタンドと横長写真スタンドの両方に兼用できるので、利便性が高い。
【００１９】
また、アルバム台紙には、型抜きした額縁状の枠で押さえるフレーム台紙も存在し、本考案の縦・横兼用のアルバム台紙を用いたアルバムの構造は、このようなフレーム台紙を用いたアルバムにも適用される。図８には、このようなフレーム台紙を用いた縦・横兼用の従来のフレーム台紙の構造を示す。写真は凹所８１に収納される。このような縦・横同時収納のフレーム台紙は大型化してしまう欠点があった（特開２００４-１６０６９８号公報参照）。本考案のアルバム台紙を用いたアルバムの構造は、小型化が可能である。
【００２０】
なお、上記実施例は、縦・横兼用のアルバムについて説明しているが、本考案の同様の縦・横兼用の構造は、縦・横兼用の写真集や縦横の図柄が混在する書籍（例えば、絵本）に用いることができる。写真集や書籍に用いた場合、図１,２の３，６や１２．１３が各頁となる。
【産業上の利用可能性】
【００２１】
本考案のアルバム台紙を用いたアルバムは、写真等が縦横兼用にアルバムに収納できるので、アルバム使用者の利便性が高く、産業上の利用性が高い。また、縦・横兼用の写真集や縦横の図柄が混在する書籍に本考案の構造を用いると、同様に使用者の利便性が高く、産業上の利用性が高い。
【符号の説明】
【００２２】
１  アルバム台紙を用いたアルバム
２〜４  アルバム台紙
１０  アルバム台紙を用いたアルバム
１２〜１４  アルバム台紙
３１〜３２  アルバム台紙
３３  裏表紙
４１〜４２  アルバム台紙
４３  裏表紙  
４４〜４７  アルバム台紙
５１〜５２  アルバム台紙
６１  表表紙
６２  アルバム台紙
７１  表表紙
７２  アルバム台紙
【図１】
0003199362.tif 000003
【図２】
0003199362.tif 000004
【図３】
0003199362.tif 000005
【図４】
0003199362.tif 000006
【図５】
0003199362.tif 000007
【図６】
0003199362.tif 000008
【図７】
0003199362.tif 000009
【図８】
0003199362.tif 000010